(57)【特許請求の範囲】
【請求項１】
給水路を通して供給される水をバーナの燃焼により加熱して一般給湯路より給湯する水加熱用の熱交換器と、
前記給水路を通して供給される水を前記熱交換器を迂回して前記一般給湯路に供給するバイパス路と、
前記一般給湯路における前記バイパス路の接続箇所よりも上流側に分岐接続されて、前記バーナにて加熱された湯水を高温給湯負荷に供給する高温給湯路と、
前記高温給湯路における湯水の通流を断続する高温給湯断続弁と、
給湯運転を制御する制御手段とが設けられ、
前記制御手段が、前記高温給湯断続弁を閉弁して一般給湯用の目標温度にて前記一般給湯路を通して給湯するように給湯運転を制御する一般給湯制御、前記高温給湯断続弁を開弁して高温給湯用の目標温度にて前記高温給湯路を通して給湯するように給湯運転を制御する高温給湯制御、及び、給湯割り込み制御を実行するように構成され、
前記給湯割り込み制御においては、前記高温給湯制御を実行しているときに一般給湯の割り込みが指令されると、一般給湯用の目標温度にて前記一般給湯路を通して給湯するように給湯運転を制御する運転状態に切り換え、且つ、その切り換えよりも遅延させて前記高温給湯断続弁を閉弁させるように構成されている給湯装置であって、
前記一般給湯路における前記高温給湯路との接続箇所よりも下流側へ通流する湯水の通流抵抗を、前記一般給湯路側への通流を規制して前記高温給湯路側への通流を促す規制状態と、前記一般給湯路側への通流の規制を解除する解除状態とに切り換え自在な通流抵抗調整手段が備えられ、
前記制御手段が、
前記給湯割り込み制御においては、一般給湯の割り込みが指令されると、前記通流抵抗調整手段を一旦、前記規制状態に切り換え、その後、解除条件が満たされると、前記通流抵抗調整手段を前記解除状態に切り換えるように構成されている給湯装置。
【請求項２】
前記一般給湯路における前記バイパス路の接続箇所よりも下流側に、その箇所における湯水の通流量を変更調整自在な水比例弁が備えられ、
前記制御手段が、
前記一般給湯制御においては、前記水比例弁の開度を通常開度に調整した状態で、前記一般給湯路から給湯される湯水の温度が一般給湯用の目標温度になるように、前記バーナの燃焼量を変更調整し、且つ、その変更調整により前記湯水の温度が一般給湯用の目標温度にできない場合には、前記水比例弁の開度を前記通常開度よりも小開度側に変更調整するように構成され、
前記水比例弁が、前記通流抵抗調整手段を兼用する構成となっている請求項１記載の給湯装置。
【請求項３】
前記制御手段が、
前記給湯割り込み制御において、前記運転状態の切り換えよりも遅延させて前記高温給湯断続弁を閉弁させたときに、前記解除条件が満たされたものと判別するように構成されている請求項１又は２記載の給湯装置。
【請求項４】
前記制御手段が、
前記給湯割り込み制御において、前記運転状態を切り換えた時点から設定時間が経過した後に前記高温給湯断続弁を閉弁させるように構成されている請求項１〜３のいずれか１項に記載の給湯装置。
【請求項５】
前記熱交換器にて加熱された後の湯水の温度を検出する湯温検出手段が設けられ、
前記制御手段が、
前記給湯割り込み制御において、前記湯温検出手段にて検出される前記湯水の温度が設定温度以下になると前記高温給湯断続弁を閉弁させるように構成されている請求項１〜３のいずれか１項に記載の給湯装置。
【請求項６】
前記一般給湯路に開度を変更調整自在な給湯栓が備えられている請求項１〜５のいずれか１項に記載の給湯装置。
【発明の詳細な説明】
【０００１】
【発明の属する技術分野】
本発明は、給水路を通して供給される水をバーナの燃焼により加熱して一般給湯路より給湯する水加熱用の熱交換器と、前記給水路を通して供給される水を前記熱交換器を迂回して前記一般給湯路に供給するバイパス路と、前記一般給湯路における前記バイパス路の接続箇所よりも上流側に分岐接続されて、前記バーナにて加熱された湯水を高温給湯負荷に供給する高温給湯路と、前記高温給湯路における湯水の通流を断続する高温給湯断続弁と、給湯運転を制御する制御手段とが設けられ、前記制御手段が、前記高温給湯断続弁を閉弁して一般給湯用の目標温度にて前記一般給湯路を通して給湯するように給湯運転を制御する一般給湯制御、前記高温給湯断続弁を開弁して高温給湯用の目標温度にて前記高温給湯路を通して給湯するように給湯運転を制御する高温給湯制御、及び、給湯割り込み制御を実行するように構成され、前記給湯割り込み制御においては、前記高温給湯制御を実行しているときに一般給湯の割り込みが指令されると、一般給湯用の目標温度にて前記一般給湯路を通して給湯するように給湯運転を制御する運転状態に切り換え、且つ、その切り換えよりも遅延させて前記高温給湯断続弁を閉弁させるように構成されている給湯装置に関する。
【０００２】
【従来の技術】
上記構成の給湯装置は、例えば浴槽に高温湯（約９０℃の高温湯）を追焚き給湯したり、食器洗浄機や床暖房装置等に対して上記追焚き給湯の場合と同様な高温湯を給湯するなど、前記高温給湯路から高温湯を給湯しているときに、例えば、一般給湯路に備えられた給湯栓が開き操作されて一般給湯の割り込みが指令されると、一般給湯用の目標温度にて一般給湯路を通して給湯するように給湯運転を制御する状態に運転状態を切り換えるようにしている。そして、その運転状態の切り換えよりも遅延させて高温給湯断続弁を閉弁させることによって、一般給湯路から高温湯が多量に流出しないようにし、且つ、バイパス路を通して供給される水を混合させて一般給湯路から給湯される湯の温度が高くならないようにしている。
【０００３】
つまり、上述したような高温給湯を行っているときに一般給湯の割り込みが指令された場合、直ちに、高温給湯断続弁を閉弁させて前記一般給湯制御に切り換えるようにすると、熱交換器内部やその出口付近の湯路に残っている高温湯が一般給湯路を通して給湯されるおそれがあるので、上記した一般給湯用の目標温度にて一般給湯路を通して給湯する運転状態に切り換えた後も高温給湯断続弁を開弁状態に維持させ、その運転状態の切り換えよりも遅延させて高温給湯断続弁を閉弁させるようにして、上記したように熱交換器等に残っている高温湯を高温給湯路から流出させるようにしたものである。
【０００４】
上記運転状態の切り換えよりも遅延させて高温給湯断続弁を閉弁させるための具体的な構成としては、例えば、特開平９−８９３７２号公報に示されるように、運転状態を切り換えた後に、熱交換器にて加熱された後の湯温の検出値が設定温度以下に低下すると高温給湯断続弁を閉弁させる構成、又は、設定時間が経過した後に高温給湯断続弁を閉弁させる構成などがあった。
【０００５】
【発明が解決しようとする課題】
上記従来構成は、上記運転状態の切り換えの後も、高温給湯断続弁を開弁状態に維持させることにより、熱交換器にて加熱された後の湯を一般給湯路だけでなく高温給湯路にも分配させて通流させるようにしたものであり、一般給湯路と高温給湯路の湯水の通流量の分配比率が適切な比率であれば、一般給湯路を通して高温湯が多量に流出することを抑制することは可能であるが、一般給湯路における通流抵抗が高温給湯路における通流抵抗に比べて小さく、高温給湯路が一般給湯路に比べて湯水が流れ難い状態になっていると、高温給湯路を通して流すべき高温湯が一般給湯路側に多く流れこみ、一般給湯路を通して一時的に高い温度の湯が給湯されるおそれがあり、この点で未だ改善の余地があった。特に、夏場など水温が高い場合には高温の湯が給湯されるおそれがあった。
尚、高温給湯路が一般給湯路に比べて湯水が流れ難い状態になる場合としては、例えば、一般給湯路に手動操作により開度調節自在な給湯栓が備えられる場合に、この給湯栓を給湯開始時に最大開度に近い大きい開度に操作したような場合がある。又、上述したような高温給湯負荷が給湯器本体から離間した箇所に備えられ、一般給湯路の給湯箇所が給湯器本体に近い箇所に備えられるような場合もある。つまり、このような構成では、高温給湯路が一般給湯路に比べて湯水が流れ難い状態になって、給湯開始時に、上記した高温湯が一般給湯路側に多量に流れるおそれがある。
【０００６】
本発明はかかる点に着目してなされたものであり、その目的は、高温給湯路から高温給湯を行っているときに割り込み給湯が開始された場合に、給湯開始時に一時的に高温の湯が給湯されるといった不利を回避させることが可能となる給湯装置を提供する点にある。
【０００７】
【課題を解決するための手段】
請求項１によれば、給水路を通して供給される水をバーナの燃焼により加熱して一般給湯路より給湯する水加熱用の熱交換器と、前記給水路を通して供給される水を前記熱交換器を迂回して前記一般給湯路に供給するバイパス路と、前記一般給湯路における前記バイパス路の接続箇所よりも上流側に分岐接続されて、前記バーナにて加熱された湯水を高温給湯負荷に供給する高温給湯路と、前記高温給湯路における湯水の通流を断続する高温給湯断続弁と、給湯運転を制御する制御手段とが設けられ、前記制御手段が、前記高温給湯断続弁を閉弁して一般給湯用の目標温度にて前記一般給湯路を通して給湯するように給湯運転を制御する一般給湯制御、前記高温給湯断続弁を開弁して高温給湯用の目標温度にて前記高温給湯路を通して給湯するように給湯運転を制御する高温給湯制御、及び、給湯割り込み制御を実行するように構成され、前記給湯割り込み制御においては、前記高温給湯制御を実行しているときに一般給湯の割り込みが指令されると、一般給湯用の目標温度にて前記一般給湯路を通して給湯するように給湯運転を制御する運転状態に切り換え、且つ、その切り換えよりも遅延させて前記高温給湯断続弁を閉弁させるように構成されている給湯装置において、前記一般給湯路における前記高温給湯路との接続箇所よりも下流側へ通流する湯水の通流抵抗を、前記一般給湯路側への通流を規制して前記高温給湯路側への通流を促す規制状態と、前記一般給湯路側への通流の規制を解除する解除状態とに切り換え自在な通流抵抗調整手段が備えられ、前記制御手段が、前記給湯割り込み制御においては、一般給湯の割り込みが指令されると、前記通流抵抗調整手段を一旦、前記規制状態に切り換え、その後、解除条件が満たされると、前記通流抵抗調整手段を前記解除状態に切り換えるように構成されていることを特徴とする。
【０００８】
すなわち、前記給湯割り込み制御においては、次のように制御が実行されることになる。
高温給湯断続弁を開弁して高温給湯用の目標温度にて高温給湯路を通して給湯するように給湯運転を制御する高温給湯制御を実行しているときに、一般給湯の割り込みが指令されると、前記高温給湯制御から一般給湯用の目標温度にて前記一般給湯路を通して給湯するように給湯運転を制御する運転状態に切り換え、且つ、その切り換えよりも遅延させて前記高温給湯断続弁を閉弁させるのであるが、上記運転状態の切り換えと共に、前記通流抵抗調整手段を一旦、前記規制状態に切り換えるのである。つまり、一般給湯路における前記高温給湯路との接続箇所よりも下流側へ通流する湯水の通流抵抗を、一般給湯路側への通流を規制して高温給湯路側への通流を促す状態にさせる。そして、その後、解除条件が満たされると、通流抵抗調整手段を前記規制状態から解除状態に切り換えるのである。
【０００９】
一般給湯の割り込みの指令により一般給湯路を通して給湯するような運転状態に切り換わったとき、高温給湯路が一般給湯路に比べて湯水が流れ難い状態になっているような場合であっても、前記通流抵抗調整手段を前記規制状態に切り換えることによって、一般給湯路側への通流を規制して高温給湯路側への通流を促す状態になるので、一般給湯路と高温給湯路の湯水の通流量の分配比率を適正な比率にさせて、熱交換器等に残っている高温湯が多量に一般給湯路に流出することを規制することができ、一般給湯路から高温の湯が給湯されることを回避させることが可能となるのである。
そして、解除条件が満たされた後は、一般給湯路側への通流の規制を解除する解除状態に切り換わるので、通流が規制されない状態で所望の給湯を行うことができる。
尚、前記解除条件が満たされたと判断する処理は、前記高温給湯断続弁を閉弁させるタイミングと同じでもよく、そのタイミングよりも少しずれていてもよく、要するに、熱交換器等に残っている高温湯が多量に一般給湯路に流出しないようなタイミングであればよい。
【００１０】
従って、高温給湯路から高温給湯を行っているときに割り込み給湯が開始された場合に、給湯開始時に一時的に高温の湯が給湯されるといった不利を回避させることが可能となる給湯装置を提供できるに至った。
【００１１】
請求項２によれば、請求項１において、前記一般給湯路における前記バイパス路の接続箇所よりも下流側に、その箇所における湯水の通流量を変更調整自在な水比例弁が備えられ、前記制御手段が、前記一般給湯制御においては、前記水比例弁の開度を通常開度に調整した状態で、前記一般給湯路から給湯される湯水の温度が一般給湯用の目標温度になるように、前記バーナの燃焼量を変更調整し、且つ、その変更調整により前記湯水の温度が一般給湯用の目標温度にできない場合には、前記水比例弁の開度を前記通常開度よりも小開度側に変更調整するように構成され、前記水比例弁が、前記通流抵抗調整手段を兼用する構成となっていることを特徴とする。
【００１２】
前記一般給湯制御においては、前記水比例弁の開度を通常開度に調整した状態で、一般給湯路から給湯される湯水の温度が一般給湯用の目標温度になるようにバーナの燃焼量を変更調整するように制御が実行されることになる。前記通常開度としては、例えば、最大開度やそれに近い開度に設定しておくと、給湯使用量を充分多く確保しながら、所望の温度の湯で給湯することができる。
しかし、例えば給水温度が低く、バーナの燃焼量の変更調整では、一般給湯用の目標温度にできない場合には、水比例弁の開度を前記通常開度よりも小開度側に変更調整することによって、一般給湯用の目標温度にて給湯させることが可能となるのである。
【００１３】
そして、前記水比例弁にて前記通流抵抗調整手段を兼用する構成としているので、水比例弁の開度を変更調整することによって、前記一般給湯路における前記高温給湯路との接続箇所よりも下流側へ通流する湯水の通流抵抗を、前記一般給湯路側への通流を規制して前記高温給湯路側への通流を促す規制状態と、前記一般給湯路側への通流の規制を解除する解除状態とに切り換えることができる。
このように本来は湯温調整のために備えられる水比例弁を利用して、前記通流抵抗調整手段を構成することにより、部材の兼用化により、特別な部材を別途設けることなく、一時的な高温湯が供給されることを回避させることができ、請求項１を実施するのに好適な手段が得られる。
【００１４】
請求項３によれば、請求項１又は２において、前記制御手段が、前記給湯割り込み制御において、前記運転状態の切り換えよりも遅延させて前記高温給湯断続弁を閉弁させたときに、前記解除条件が満たされたものと判別するように構成されていることを特徴とする。
【００１５】
前記高温給湯断続弁を閉弁させたときに、前記解除条件が満たされたものと判別して、前記通流抵抗調整手段を、前記規制状態から前記解除状態に切り換えるようにしているので、確実に高温湯が供給されるおそれの少ないと判断される合理的なタイミングで通流抵抗調整手段を切り換えることができる。
従って、切り換えのタイミングが早すぎて一般給湯路から高温湯が給湯されたり、タイミングが遅過ぎて一般給湯路への給湯量が抑制される状態が不必要に長く続くといった不利がなく、請求項１又は２を実施するのに好適な手段が得られる。
【００１６】
請求項４によれば、請求項１〜３のいずれかにおいて、前記制御手段が、前記給湯割り込み制御において、前記運転状態を切り換えた時点から設定時間が経過した後に前記高温給湯断続弁を閉弁させるように構成されていることを特徴とする。
【００１７】
高温給湯制御を実行しているときに一般給湯の割り込みが指令されて、運転状態を切り換えた時点から設定時間が経過すると、熱交換器内に残っている高温湯の多くは高温給湯路を通して流出していると考えられるので、そのような時間が経過した後に前記高温給湯断続弁を閉弁させるようにしている。
このような構成に代えて、例えば、熱交換器にて加熱された後の湯水の温度を検出する湯温検出手段等を備えて、その検出情報に基づいて前記高温給湯断続弁を閉弁させる制御を実行することも考えられるが、このようにすると、温度検出手段等の部材が必要であり、構成が複雑になる不利があるが、上記構成によれば構成が簡素なもので済む利点があり、請求項１〜３のいずれかを実施するのに好適な手段が得られる。
【００１８】
請求項５によれば、請求項１〜３のいずれかにおいて、前記熱交換器にて加熱された後の湯水の温度を検出する湯温検出手段が設けられ、前記制御手段が、前記給湯割り込み制御において、前記湯温検出手段にて検出される前記湯水の温度が設定温度以下になると前記高温給湯断続弁を閉弁させるように構成されていることを特徴とする。
【００１９】
高温給湯制御を実行しているときに一般給湯の割り込みが指令されて、給湯運転状態を切り換えた後、前記湯温検出手段にて検出される前記湯水の温度が設定温度以下になると、熱交換器内に残っている高温湯の多くは高温給湯路を通して流出していると考えられるので、高温給湯断続弁を閉弁させるようにしている。このような構成に代えて、例えば、給湯運転状態を切り換えた時点から設定時間が経過すると、前記高温給湯断続弁を閉弁させる制御を実行することも考えられるが、このようにすると、例えば、外気温度の影響により、給水温度が高い場合には、設定時間が経過しても熱交換器内部の湯温が充分低下していないおそれがあるが、上記構成によれば確実に温度が熱交換器内部での湯温が低下した状態で高温給湯断続弁を閉弁させることができる利点があり、請求項１〜３のいずれかを実施するのに好適な手段が得られる。
【００２０】
請求項６によれば、請求項１〜５のいずれかにおいて、前記一般給湯路に開度を変更調整自在な給湯栓が備えられていることを特徴とする。
【００２１】
従って、給湯使用者が給湯栓の開度を変更調整しながら給湯使用量を任意に変更させることができる利点を活かしながらも、割り込み給湯を開始するときに、大きな開度で給湯させても、一時的に高温の湯が給湯される不利を回避することが可能となり、請求項１〜５のいずれかを実施するのに好適な手段が得られる。
【００２２】
【発明の実施の形態】
本発明にかかる給湯装置について図面に基づいて説明する。
この給湯装置は、図１に示すように、給水路１から供給される水を加熱しながら給湯路２に供給するための給湯部Ｋ、この給湯部Ｋの動作を制御する制御手段としての制御部Ｈ、この制御部Ｈに動作情報を指令するメインリモコンＲ１および風呂リモコンＲ２などから構成されている。
【００２３】
前記給湯部Ｋは、給水路１を通して供給される水を加熱しながら一般給湯路２に給湯する水加熱用の熱交換器３と、この熱交換器３を加熱するためのガス燃焼式のバーナ４などから構成され、一般給湯路２には、手動操作で開度を変更調節自在な給湯栓やシャワーなどが接続されるが、図１には給湯栓２ａが接続されている場合を示している。
また、前記給水路１を通して供給される水を熱交換器３を迂回して一般給湯路２に供給するバイパス路６が設けられ、このバイパス路６は、給水路１における給水サーミスタ９よりも下流側と、後述する一般給湯路２における逆止弁５と水比例弁１１との間とを連通するように設けられている。
【００２４】
前記給水路１には、給水路１を通して供給される水量を検出する水量センサ８、給水路１を通して供給される水の温度を検出する給水サーミスタ９が設けられ、給水路１における上流側から、水量センサ８、給水サーミスタ９の順に設けられている。
そして、一般給湯路２には、バーナ４の熱により熱交換器３にて加熱された後の湯水の温度を検出する温度検出手段としての給湯サーミスタ１０、給湯栓２ａ側への通流のみ許容する逆止弁５、開度を無段階に変更調整することにより一般給湯路２を通して給湯される給湯量を変更調整自在な水比例弁１１、バーナ４にて加熱された湯水とバイパス路６からの水とを混合した混合湯水の温度を検出するミキシングサーミスタ１２、一般給湯路２を通して給湯栓２ａに給湯される湯水の通流量を検出する給湯量検出手段としての割り込みセンサ１３が設けられ、一般給湯路２における上流側から、給湯サーミスタ１０、逆止弁５、水比例弁１１、ミキシングサーミスタ１２、割り込みセンサ１３の順に設けられている。
【００２５】
また、一般給湯路２には、バイパス路６の接続箇所よりも上流側で、給湯サーミスタ１０と逆止弁５との間に、バーナ４にて加熱された湯水を浴槽１５内に供給する高温給湯路の一例である追焚き路１４が接続され、その追焚き路１４の他端が浴槽１５内に連通接続され、その開口部の前面には、風呂アダプター１６が取り付けられ、この風呂アダプター１６の内側には、浴槽１５内の湯水の温度を検出する浴槽温サーミスタ１７が設けられている。
前記追焚き路１４には、追焚き路１４における湯水の通流を断続する高温給湯断続弁としての追焚きバルブ１８、及び、逆流防止用のバキュームブレーカー１９が設けられ、追焚き路１４の上流側から、追焚きバルブ１８、バキュームブレーカー１９の順に設けられている。
【００２６】
そして、熱交換器３において加熱された湯水とバイパス路６からの水とを混合した混合湯水を浴槽１５内に供給する湯張り路２０が、一般給湯路２におけるミキシングサーミスタ１２と割り込みセンサ１３との間と、追焚き路１４における追焚きバルブ１８とバキュームブレーカー１９との間とを連通接続し、追焚き路１４の一部を共用する状態で、浴槽１５内に連通接続されている。
前記湯張り路２０には、湯張り路２０を開閉する電磁式の湯張り開閉弁２１が設けられている。
【００２７】
前記バーナ４は、多段式のバーナで、一般家庭用の燃料ガスを供給するガス供給路２２が３系統に分岐して接続され、それぞれのガス供給路２２にガス切替え電磁弁２３が設けられ、分岐箇所よりも上流側のガス供給路２２に、燃料ガス供給量を調整する電磁式のガス比例弁２４、燃料ガスの供給を断続する元ガス電磁弁２５などが設けられている。
そして、バーナ４に燃焼用空気を供給するファンＦも設けられ、バーナ４の近くには、バーナ４に対する点火動作を実行する点火プラグ２６、バーナ４に着火されたか否かを検出するフレームロッド２７などが設けられている。
【００２８】
そして、このような給湯装置は、その作動が制御部Ｈによって制御されるように構成され、この制御部Ｈに制御指令を与えるメインリモコンＲ１と風呂リモコンＲ２とが無線あるいは有線で接続されている。
前記メインリモコンＲ１は、台所などに設置され、図２の（イ）に示すように、運転の開始および停止を指令する運転スイッチ２８、浴槽１５への湯張り運転を指令する湯はりスイッチ２９、一般給湯路２を通して給湯する給湯目標温度を設定する給湯温度設定手段としての給湯温度設定スイッチ３０、給湯目標温度などを表示する表示部３１などが備えられている。
ちなみに、運転スイッチ２８がＯＮ操作されて、給湯装置が運転可能状態であると、運転スイッチ２８のランプが点灯し、湯はりスイッチ２９がＯＮ操作されて、湯張り運転中であると、湯はりスイッチ２９のランプが点灯するように構成されている。
【００２９】
また、風呂リモコンＲ２には、図２の（ロ）に示すように、運転スイッチ３２、湯はりスイッチ３３、たし湯運転を指令するたし湯スイッチ３４、ぬるく運転を指令するぬるくスイッチ３５、あつく運転を指令するあつくスイッチ３６、保温運転を指令する保温スイッチ３７、湯張り設定温度を設定する湯張り温度設定スイッチ３８、給湯目標温度などを表示する表示部３９などが備えられている。ちなみに、湯張り運転中であると湯はりスイッチ３３のランプが点灯し、たし湯運転中であるとたし湯スイッチ３４のランプが点灯し、ぬるく運転中であるとぬるくスイッチ３５のランプが点灯し、あつく運転中であるとあつくスイッチ３６のランプが点灯するように構成され、また、保温運転中であると、表示部３９の保温ランプが点灯するように構成されている。
なお、給湯装置が給湯中のときには、湯はりスイッチ２９，３３やたし湯スイッチ３４などの運転を指令する各種のスイッチのＯＮ操作は受け付けないように構成されている。
【００３０】
前記制御部Ｈは、マイクロコンピュータを備えて構成され、メインリモコンＲ１および風呂リモコンＲ２などの制御指令に基づいて、一般給湯路２を通して給湯目標温度（一般給湯用の目標温度の一例）の湯水を給湯する給湯運転、浴槽１５内に湯張り設定温度の湯水を供給して湯張りする湯張り運転、浴槽１５内の湯水の温度を湯張り設定温度に保温する保温運転、浴槽１５内に追焚き目標温度（高温給湯用の目標温度の一例）の湯水を供給して追焚きするあつく運転、浴槽１５内に湯張り設定温度の湯水を足し湯用設定湯量供給してたし湯するたし湯運転、浴槽１５内に湯張り設定温度よりも低い温度の湯水をぬるく用設定水量供給して浴槽１５内の湯水をぬるくするぬるく運転の夫々の運転を実行するように構成されている。
【００３１】
以下、夫々の運転について説明する。
前記給湯運転は、メインリモコンＲ１の運転スイッチ２８などがＯＮ操作されている状態で、給湯栓２ａの開操作に伴って水量センサ８が熱交換器３への通水を検知すると実行され、追焚きバルブ１８及び湯張り開閉弁２１を閉じ状態に維持して、バーナ４にて給水路１を通して供給される水の一部を加熱しながら、そのバーナ４にて加熱された湯水とバイパス路６からの水との混合湯水の温度が給湯目標温度になるようにバーナ４の燃焼を制御して、一般給湯路２を通して給湯する一般給湯制御としての給湯燃焼制御を実行するように構成されている。
【００３２】
前記給湯運転の動作について具体的に説明すると、まず、ファンＦを回転駆動させ、元ガス電磁弁２５およびガス切替え弁２３を開弁し、かつ、ガス比例弁２４を緩点火ガス量にセットして、点火プラグ２６によって点火して、フレームロッド２７により着火を確認する点火処理を実行して給湯燃焼制御を実行する。
前記給湯燃焼制御について具体的に説明すると、水量センサ８による検出水量と給水サーミスタ９による検出水温、および、メインリモコンＲ１の給湯温度設定スイッチ３０による給湯目標温度に基づいて、バーナ４にて加熱された湯水とバイパス路６からの水とを混合した混合湯水を給湯目標温度にするための必要なガス量を演算し、その必要ガス量になるようにガス切替え電磁弁２３を適宜切替えかつガス比例弁２４の開度およびファンＦの回転速度を調整するとともに、ミキシングサーミスタ１２による検出温度が給湯目標温度になるように、ガス比例弁２４の開度およびファンＦの回転速度を微調整する。尚、このとき、水比例弁１１は、通常開度としての最大開度に調節してあり、バーナ４を最大限に燃焼させても、ミキシングサーミスタ１２による検出温度が給湯目標温度に足りない場合には、水比例弁１１を小開度側の開度に変更させて開度を絞ることによって給湯目標温度になるように制御するようにしている。
【００３３】
このようにして、給水路１を通して供給される水の一部を熱交換器３にて加熱させ、その熱交換器３にて加熱された湯水をバイパス路６からの水と混合して一般給湯路２を通して給湯するようにしている。
そして、給湯栓２ａが閉操作されるに伴って水量センサ８が熱交換器３への通水を検知しなくなると、ガス切替え電磁弁２３、ガス比例弁２４、および、元ガス電磁弁２５を閉弁してバーナ４の燃焼を停止させた後、設定時間経過するとファンＦの駆動も停止させて給湯運転を終了するようにしている。
【００３４】
前記湯張り運転は、メインリモコンＲ１の湯はりスイッチ２９や風呂リモコンＲ２の湯はりスイッチ３３がＯＮ操作されると実行され、まず、湯張り開閉弁２１を開弁させて、バーナ４にて給水路１を通して供給される水の一部を加熱しながら、そのバーナ４にて加熱された湯水とバイパス路６からの水との混合湯水の温度が湯張り設定温度になるようにバーナ４の燃焼を制御して、湯張り路２０を通して浴槽１５内に湯水を供給して湯張りするように構成されている。尚、給湯燃焼制御は上記給湯運転の場合と同様にして行われる。
また、湯張り運転中に、給湯栓２ａが開操作されて、割り込みセンサ１３の検出流量が割り込み設定量以上になると、湯張り開閉弁２１を閉弁して、湯張り運転を待機させて、上述の給湯運転を実行し、その給湯運転が終了されると、湯張り運転を再開するようにしている。
【００３５】
前記たし湯運転は、風呂リモコンＲ２のたし湯スイッチ３４がＯＮ操作されると実行され、まず、湯張り開閉弁２１を開弁させて、バーナ４にて給水路１を通して供給される水の一部を加熱しながら、そのバーナ４にて加熱された湯水とバイパス路６からの水との混合湯水の温度が湯張り設定温度になるようにバーナ４の燃焼を制御して、湯張り路２０を通して浴槽１５内に湯水を供給するように構成されている。尚、給湯燃焼制御は上記給湯運転の場合と同様にして行われる。
そして、浴槽１５内に湯張り設定温度の湯水を供給して、水量センサ８の積算水量が足し湯用設定湯量（例えば、２０リットル）になると、たし湯運転を終了するようにしている。
また、たし湯運転中に、給湯栓２ａが開操作されて、割り込みセンサ１３の検出流量が割り込み設定量以上になると、湯張り開閉弁２１を閉弁して、たし湯運転を待機させて、上述の給湯運転を実行し、その給湯運転が終了されると、たし湯運転を再開するようにしている。
【００３６】
前記ぬるく運転は、風呂リモコンＲ２のぬるくスイッチ３５がＯＮ操作されると実行され、まず、湯張り開閉弁２１を開弁させ、給水路１を通して供給される水を加熱することなく、湯張り路２０を通して浴槽１５内に供給するように構成されている。
前記ぬるく運転の動作について具体的に説明すると、湯張り開閉弁２１を開弁させて、給水路１を通して供給される水をバーナ４にて加熱することなく、湯張り路２０を通して浴槽１５内に供給し、水量センサ８の積算水量がぬるく用設定水量（例えば、１０リットル）になると、湯張り開閉弁２１を閉弁させて、ぬるく運転を終了させるようにしている。
また、ぬるく運転中に、給湯栓２ａが開操作されて、割り込みセンサ１３の検出流量が割り込み設定量以上になると、湯張り開閉弁２１を閉弁して、ぬるく運転を待機させて、上述の給湯運転を実行し、その給湯運転が終了されると、ぬるく運転を再開するようにしている。
【００３７】
前記保温運転は、風呂リモコンＲ２の保温スイッチ３７がＯＮ操作されると実行され、浴槽温サーミスタ１７の検出温度が追焚き開始用設定温度以下になっていると、追焚きバルブ１８を開弁させて、後述するような追焚き燃焼制御処理を実行して、追焚き目標温度の湯水を浴槽１５内に供給し、浴槽温サーミスタ１７の検出温度が湯張り設定温度になると、追焚き燃焼制御処理を停止するように構成されている。
そして、保温スイッチ３７がＯＮ操作されてから設定時間（例えば、４時間）が経過すると、保温運転を終了するようにしている。
【００３８】
また、保温運転中に、給湯栓２ａが開操作されて、割り込みセンサ１３の検出流量が割り込み設定量以上になると、追焚きバルブ１８を閉弁して、保温運転を待機させて、上述の給湯運転を実行し、その給湯運転が終了されると、保温運転を再開するようにしている。
なお、この保温運転中に、ぬるくスイッチ３５、あるいは、あつくスイッチ３６がＯＮ操作されると、上述のぬるく運転、あるいは、あつく運転を優先して実行するようにしている。
【００３９】
前記あつく運転は、風呂リモコンＲ２のあつくスイッチ３６がＯＮ操作されると実行され、バーナ４にて給水路１を通して供給される水の全量を加熱しながら、追焚きバルブ１８を開弁して、水量センサ８および給水サーミスタ９の検出情報に基づいて、バーナ４にて加熱された湯水の温度が追焚き目標温度になるようにバーナ４の燃焼を制御して、追焚き路１４を通して浴槽１５内に湯水を供給する高温給湯制御としての追焚き燃焼制御を実行するようにしている。
すなわち、追焚きバルブ１８を開弁させて、水量センサ８による検出水量と給水サーミスタ９による検出水温に基づいて、バーナ４にて加熱された湯水を追焚き目標温度（例えば、９０℃）にするための必要なガス量を演算し、その必要ガス量になるようにガス切替え電磁弁２３を適宜切替えかつガス比例弁２４の開度およびファンＦの回転速度を調整するのである。
【００４０】
このようにして、給水路１を通して供給される水の全量を熱交換器３にて加熱しながら、その熱交換器３にて加熱された湯水を追焚き路１４を通して浴槽１５内に供給して、浴槽温サーミスタ１７により検出される浴槽１５内の湯水の温度があつく設定温度になると、追焚きバルブ１８を閉弁させ、ガス切替え電磁弁２３、ガス比例弁２４、および、元ガス電磁弁２５を閉弁してバーナ４の燃焼を停止させた後、設定時間経過するとファンＦの駆動も停止させてあつく運転を終了するようにしている。
【００４１】
そして、あつく運転を実行しているときにおいて、割り込みセンサ１３の検出情報に基づいて、割り込み設定量以上の通流量を検出すると、給湯目標温度にて一般給湯路を通して給湯するように給湯運転を制御する運転状態に切り換える給湯割り込み制御を実行するように構成されている。
具体的に説明すると、あつく運転中に、給湯栓２ａが開操作されて、割り込みセンサ１３にて検出される一般給湯路２を通して給湯される給湯量が割り込み設定量以上になると、追焚き燃焼制御を停止して、給湯目標温度にて一般給湯路を通して給湯するように給湯運転を制御する運転状態に切り換え、且つ、その切り換えよりも遅延させて追焚きバルブ１８を閉弁させるようになっている。
【００４２】
又、この給湯割り込み制御においては、水比例弁１１を一旦、一般給湯路２における追焚き路１４との接続箇所よりも下流側へ通流する湯水の通流抵抗を、一般給湯路２側への通流を規制して追焚き路１４側への通流を促す規制状態に切り換え、その後、解除条件が満たされると、一般給湯路２側への通流を規制する状態を解除する解除状態に切り換えるように構成されている。
具体的に説明すると、前記解除状態とは、水比例弁１１が通常開度としての最大開度に調節されている状態であり、前記規制状態とは、その開度を最大開度よりも小開度側の規制用開度に変更して、一般給湯路２側への通流を規制する状態である。
従って、水比例弁１１が、一般給湯路２における追焚き路１４との接続箇所よりも下流側へ通流する湯水の通流抵抗を、一般給湯路２側への通流を規制して追焚き路１４側への通流を促す規制状態と、一般給湯路２側への通流の規制を解除する解除状態とに切り換え自在な通流抵抗調整手段を兼用する構成となっている。そして、給湯栓２ａが閉操作されて、給湯運転が終了されると、あつく運転を再開するようにしている。
【００４３】
前記制御部Ｈの給湯割り込み制御の制御動作について、図３のフローチャートに基づいて説明する。
あつく運転を実行しているときに、水比例弁１１を予め前記規制状態に切り換えて待機しておく。つまり、水比例弁１１の開度を最大開度よりも小開度側の規制用開度に変更して一般給湯路２側への通流を規制する状態を維持するようにしている（ステップ１，２）。そして、割り込みセンサ１３にて検出される一般給湯路２を通して給湯される給湯量が割り込み設定量以上になり、一般給湯の割り込みが指令されると、あつく運転における追焚き燃焼制御を停止して、給湯目標温度にて一般給湯路を通して給湯するように給湯運転を制御する運転状態に切り換える（ステップ３，４）。
このように、運転状態が切り換えられた後は前記規制状態にて一般給湯が開始され、一般給湯路２における追焚き路１４との接続箇所よりも下流側へ通流する湯水の通流抵抗を、一般給湯路２側への通流を規制して追焚き路１４側への通流を促す規制状態になっているので、一般給湯路２から高温の湯が給湯されることを抑制できる。
【００４４】
その後、給湯サーミスタ１０にて検出される熱交換器にて加熱された後の湯水の温度Ｔｏが設定温度Ｔｓ以下にまで低下すると（ステップ５）、解除条件が成立したものと判断して、水比例弁１１を前記規制状態から前記解除状態に切り換えるように、すなわち、開度を最大開度にするように変更調整するとともに、追焚きバルブ１８を閉弁させる（ステップ６，７）。その後は、上述したような給湯運転を実行することになり、給湯栓２ａが閉操作されて、給湯運転が終了されると、あつく運転を再開する（ステップ８，９）。
【００４５】
〔別実施形態〕
（１）上記実施形態では、前記給湯割り込み制御において、湯温検出手段としての給湯サーミスタ１０にて検出される熱交換器にて加熱された後の湯水の温度が設定温度以下になると高温給湯断続弁としての追焚きバルブ１８を閉弁させるように構成したが、このような構成に限らず、前記給湯割り込み制御において、前記運転状態を切り換えた時点から設定時間が経過した後に追焚きバルブ１８を閉弁させるように構成してもよい。具体的に説明すると、上記実施形態における図３のフローチャートのステップ５において、湯温の判別に代えて、給湯開始してから設定時間が経過したか否かを判断する構成となり、他の処理は上記実施形態と同様である。
【００４６】
（２）上記実施形態では、前記一般給湯路に開度を変更調整自在な給湯栓が備えられる構成を例示したが、このような構成に代えて、次のような構成でもよい。例えば、浴槽までの追焚き路の距離が長く、一般給湯路の給湯箇所までの距離が短く、あつく運転を実行しているとき給湯割り込みがあると、多量の湯が給湯されるような構成となっており、しかも、一般給湯を指令するための操作スイッチを備えるとともに、一般給湯路に電磁式開閉弁を備えて、操作スイッチの指令に基づいて制御部により開閉制御する構成としてもよい。
【００４７】
（３）上記実施形態では、前記規制状態を解除する解除条件として、前記運転状態の切り換えよりも遅延させて前記高温給湯断続弁を閉弁させるときに、解除条件が満たされたものと判別して、その時点から水比例弁の開度を通常開度（最大開度）に戻し操作させるように構成したが、このような構成に限らず、通流抵抗調整手段としての前記水比例弁における動作の遅れ時間を利用して、遅れ時間が経過した後に解除状態に切り替わるようにしてもよい。
具体的に説明すると、水比例弁として、電動モータ等のアクチュエータにより開度を変更調節する構成のものを使用した場合、開度の変更調整を指令してから目標開度にするまでに作動時間がかかり、時間遅れが発生することがある。このような構成の水比例弁を用いると、上記運転状態の切り換えと同時に前記規制状態から前記通常開度への切換えが指令されても、動作の遅れ時間が経過するまでの間は、規制状態が継続することになる。
【００４８】
そこで、上記実施形態の構成において、このような動作遅れが生じる水比例弁を用いて、上記実施形態における図３のフローチャートにおいて、ステップ５の処理とステップ６の処理とを順序を入替えて実施するようにしてもよい。
すなわち、運転状態が切り換えられ後に、すぐに、開度を最大開度に戻し操作させるようにしても、前記規制状態にて一般給湯が開始され、水比例弁１１の開度変更動作の遅れ時間が経過した後に解除状態になるようにしてもよい。つまり、この実施形態では、水比例弁１１の動作遅れ時間が経過したことにより解除条件が満たされたものとなる。
【００４９】
（４）上記実施形態では、前記給湯運転において、前記水比例弁の開度を通常開度に維持しながら一般給湯路から給湯される湯水の温度が給湯目標温度になるようにバーナの燃焼量を変更調整した後に、給湯目標温度に達しない場合に、水比例弁の開度を小開度側に変更調整するようにしたが、このように制御する構成に限らず、給湯目標温度にするための必要なガス量（燃焼量）を演算するときに、バーナの加熱能力が不足していることが判別されると、予め、水比例弁の開度を小開度側に調整した状態で、ガス量（燃焼量）の調整を行うような構成としてもよい。
【００５０】
（５）上記実施形態では、水比例弁が通流抵抗調整手段を兼用する構成としたが、このような構成に限らず、水比例弁とは別に、専用の通流抵抗調整手段を備える構成としてもよい。例えば、前記一般給湯路における前記追焚き路と接続箇所よりも下流側で、且つ、前記バイパス路の接続箇所よりも上流側の箇所にその箇所での通流抵抗を変更調節可能な絞り弁等を備える構成でもよい。
又、通流抵抗調整手段として、一般給湯路が通流抵抗の異なる複数の通水路に分岐する構成として、各分岐路に電磁操作式の開閉弁を備えて各開閉弁を切り換え操作する構成とする等、各種の形態で実施してもよい。そして、このような電磁操作式の開閉弁のように水比例弁等の比べて高速で切り換え動作が可能な装置を用いる場合には、上記実施形態のように、あつく運転を実行しているときに、予め規制状態に設定して待機する構成でなく、一般給湯の割り込みが指令されるに伴って、規制状態に切り換える動作を行う構成としてもよい。
【００５１】
（６）上記実施形態では、バイパス路６を一本の通水路で構成するものを例示したが、例えば、従来技術にて例示した公報に示されるように、複数の通水路に並列状態で分岐するような構成として、夫々に開閉弁を備えさせて、バイパス路を通流する水の量を変更調節する構成としてもよい。
【００５２】
（７）上記実施形態では、本発明にかかる給湯装置を、給湯運転およびあつく運転の他に、湯張り運転、ぬるく運転、たし湯運転、保温運転を実行する給湯装置に適応した例を示したが、給湯運転、あつく運転、湯張り運転のみを実行するものなど、運転の数および種類については適宜変更が可能であり、給湯運転およびあつく運転を実行する給湯装置であればよい。
【図面の簡単な説明】
【図１】給湯装置の概略構成図
【図２】メインリモコンおよび風呂リモコンを示す図
【図３】給湯割り込み制御の動作を示すフローチャート
【符号の説明】
１              給水路
２              一般給湯路
２ａ            給湯栓
３              熱交換器
４              バーナ
６              バイパス路
１１            水比例弁
１４            高温給湯路
１８            高温給湯断続弁
Ｈ              制御手段
【図１】
0004392999.tif 000002
【図２】
0004392999.tif 000003
【図３】
0004392999.tif 000004